(57)【要約】【課題】表示の立ち上がりを早くするためのプリチャージによる表示の不明瞭さや、余分なプリチャージによる消費電流の無駄等を無くす。【解決手段】表示装置は、容量成分を有する表示素子５３−１１・・・と、表示データＤＡに対応したパルス幅の駆動電流又は駆動電圧を各表示素子５３−１１・・・にそれぞれ供給して点灯駆動する出力ドライバ６２−１・・・と、走査スイッチ７１−１・・・と、予め表示素子５３−１１・・・の容量成分をプリチャージするプリチャージスイッチ６３−１・・・と、データＤＡが特定状態か否かを判定して、特定状態の時にはプリチャージを停止させるプリチャージ停止手段とを備えている。プリチャージ停止手段は、データＤＡと特定状態とを比較判定するコンパレータ８１と、その比較判定結果が一致の時には、プリチャージスイッチ６３−１・・・のプリチャージを停止させるドライバ制御手段８３，８５，８６とを有している。【選択図】図１
2007025122.tif 000002
【特許請求の範囲】
【請求項１】
表示データに基づき、容量成分を有する複数の表示素子中の所定の表示素子に対してプリチャージを行った後に、その所定の表示素子に対して駆動電流又は駆動電圧を供給して、前記表示データに対応する輝度で点灯させる表示装置において、
前記表示データが特定状態の時には前記所定の表示素子に対する前記プリチャージを停止させるプルチャージ停止手段を設けたことを特徴とする表示装置。
【請求項２】
第１の電極及び第２の電極間に容量成分を有する複数の表示素子と、
表示データに対応した第１のパルス幅の駆動電流又は駆動電圧を前記各表示素子の第１の電極にそれぞれ供給して前記各表示素子を点灯駆動する出力ドライバと、
前記表示データに対応して走査され、前記出力ドライバにより点灯駆動される前記表示素子の第２の電極を固定電位ノードに接続する複数の走査スイッチと、
前記出力ドライバにより前記表示素子を点灯駆動する前に、予め前記表示素子の第１の電極を介して前記表示素子の容量成分をプリチャージするプリチャージドライバと、
前記表示データが特定状態か否かを判定して、特定状態の時には前記プリチャージドライバに対して前記プリチャージを停止させるプリチャージ停止手段と、
を備えたことを特徴とする表示装置。
【請求項３】
前記プリチャージ停止手段は、
前記表示データと前記特定状態とを比較判定して一致／不一致の判定結果を出力するコンパレータと、
前記判定結果が一致の時には、前記表示素子に対する前記プリチャージドライバの前記プリチャージを停止させて、前記出力ドライバにより前記表示素子を点灯駆動させ、前記判定結果が不一致の時には、前記表示素子に対して前記プリチャージドライバによりプリチャージさせた後に前記出力ドライバにより前記表示素子を点灯駆動させるドライバ制御手段と、
を有することを特徴とする請求項２記載の表示装置。
【請求項４】
第１の電極及び第２の電極間に容量成分を有する複数の表示素子と、
表示データに対応した第１のパルス幅の駆動電流又は駆動電圧を前記各表示素子の第１の電極にそれぞれ供給して前記各表示素子を点灯駆動する出力ドライバと、
前記表示データに対応して走査され、前記出力ドライバにより点灯駆動される前記表示素子の第２の電極を固定電位ノードに接続する複数の走査スイッチと、
前記出力ドライバにより前記表示素子を点灯駆動する前に、予め前記表示素子の第１の電極を介して前記表示素子の容量成分をプリチャージするプリチャージドライバと、
前記表示データがパーシャル非表示領域又はパーシャル表示領域のいずれの領域に属するデータであるかを判定して、この判定結果が前記パーシャル非表示領域に属するデータの時には、前記プリチャージドライバに対して前記プリチャージを停止させるプリチャージ停止手段と、
を備えたことを特徴とする表示装置。
【請求項５】
前記プリチャージ停止手段は、
前記表示データが前記パーシャル非表示領域又は前記パーシャル表示領域のいずれの領域に属するデータであるかを判定する表示状態判定手段と、
前記表示状態判定手段の判定結果が、前記パーシャル非表示領域に属するデータの時には、前記表示素子に対する前記プリチャージドライバの前記プリチャージを停止させて、前記出力ドライバにより前記表示素子を点灯駆動させ、前記表示状態判定手段の判定結果が、前記パーシャル表示領域に属するデータの時には、前記表示素子に対して前記プリチャージドライバによりプリチャージさせた後に前記出力ドライバにより前記表示素子を点灯駆動させるドライバ制御手段と、
を有することを特徴とする請求項４記載の表示装置。
【請求項６】
前記表示素子は、発光素子である請求項１〜５のいずれか１項に記載の表示装置。
【発明の詳細な説明】
【技術分野】
【０００１】
本発明は、有機ＥＬ（エレクトロルミネッセンス）素子等の発光素子といった各種の表示素子により構成された表示パネルを点灯駆動する表示装置、特に、表示素子を点灯駆動する前に予め電荷をプリチャージして応答速度を速くするプリチャージ方式に関するものである。
【背景技術】
【０００２】
従来、有機ＥＬ素子を発光駆動する表示装置として、例えば、次のような文献に記載されるものが知られている。
【０００３】
【特許文献１】特開平９−２３２０７４号公報（図９〜図１２）
【特許文献２】特開２００５−１８０３８号公報（図１）
【０００４】
図５は、特許文献１、２等に記載された従来の有機ＥＬ表示装置の概略を示す構成図である。
【０００５】
この有機ＥＬ表示装置は、陰極線走査・陽極線ドライブの単純マトリックス駆動方式を示すもので、表示パネル１０と、陽極線を駆動する陽極線駆動回路２０と、陰極線を走査する陰極線走査回路３０と、陽極線駆動回路２０及び陰極線走査回路３０を制御する表示制御回路４０とを備えている。
【０００６】
表示パネル１０は、複数の陽極線１１−１〜１１−Ｎ及び複数の陰極線１２−１〜１２−Ｍがマトリックス状に配置され、これらの陽極線１１−１〜１１−Ｎ及び陰極線１２−１〜１２−Ｍの交差箇所に、有機ＥＬ素子からなる表示素子１３−１１〜１３−ＭＮがそれぞれ接続されている。有機ＥＬ素子からなる各表示素子１３−１１〜１３−ＭＮは、電極から電子と正孔（ホール）を注入し、有機固体内部で再結合させて発光させる電流注入型の発光ダイオードであり、発光体に有機材が使用され、陽極と陰極の間に容量成分を有している。
【０００７】
複数の陽極線１１−１〜１１−Ｎには、これらを駆動するための陽極線駆動回路２０が接続されている。陽極線駆動回路２０は、電源電位VDDHノードと各陽極線１１−１〜１１−Ｎとの間に直列接続された各定電流回路２１−１〜２１−Ｎ及び各出力ドライバ２２−１〜２２−Ｎからなる複数の直列回路と、この各直列回路にそれぞれ並列接続された複数のプリチャージドライバ用のプリチャージスイッチ２３−１〜２３−Ｎとを有している。各定電流回路２１−１〜２１−Ｎは、所定のパルス幅の各駆動用制御信号Ｃ１〜ＣＮによりオン／オフ動作してオン状態の時に定電流を出力する回路である。各プリチャージスイッチ２３−１〜２３−Ｎは、所定のパルス幅の各プリチャージ用制御信号Ｐ１〜ＰＮによりオン／オフ動作して、オン状態の時に電源電位VDDHにより各表示素子１３−１１〜１３−ＭＮをプリチャージするスイッチである。有機ＥＬ素子からなる各表示素子１３−１１〜１３−ＭＮは、容量成分を持つため、定電圧や定電流を印加した場合に立ち上がりがなまる（即ち、立ち上がりの変化が緩慢になる）。このため、特にパルス幅変調（以下「ＰＷＭ」という。）制御を行う場合等にパルス幅が正確でなくなるので、各プリチャージスイッチ２３−１〜２３−Ｎを介して予め容量に電荷をチャージ（即ち、発光させるための発光電圧よりも低い電圧にチャージ）しておくことにより、実際に駆動する際の立ち上がりがなまらないようにしている。
【０００８】
複数の陰極線１２−１〜１２−Ｍには、これらを順に走査するための陰極線走査回路３０が接続されている。陰極線走査回路３０は、各陰極線１２−１〜１２−Ｍにそれぞれ接続された複数の走査スイッチ３１−１〜３１−Ｍを有している。各走査スイッチ３１−１〜３１−Ｍは、所定のパルス幅の各走査用制御信号Ｒ１〜ＲＭにより順に切り替えられるスイッチであり、表示素子１３−１１〜１３−ＭＮを発光させる時には陰極線１２−１〜１２−Ｍを接地電位VSSHノードに接続し、表示素子１３−１１〜１３−ＭＮを消光する時には陰極線１２−１〜１２−Ｍを電源電位VDDHノードに接続する。
【０００９】
表示制御回路４０は、陽極線駆動回路２０及び陰極線走査回路３０を制御するための制御信号Ｃ１〜ＣＮ，Ｐ１〜ＰＮ，Ｒ１〜ＲＭを出力する回路であり、シフトレジスタ４１、表示データラッチ回路４２、及びドライバ制御部４３を有している。シフトレジスタ４１は、表示の階調（輝度）を決めるシリアルな表示データＤＡをクロック信号ＣＬＫにより取り込み、これをパラレルな表示データに変換して表示データラッチ回路４２へ出力する回路である。表示データラッチ回路４２は、シフトレジスタ４１から出力されたパラレルな表示データを保持し、この保持したパラレルな表示データをドライバ制御部４３へ出力する回路である。ドライバ制御部４３は、表示データラッチ回路４２から出力されたパラレルな表示データに基づき、所定のタイミングで制御信号Ｃ１〜ＣＮ，Ｐ１〜ＰＮ，Ｒ１〜ＲＭを出力するものである。
【００１０】
図６（Ａ）、（Ｂ）は、表示素子（例えば、１３−２２）に対する駆動波形図であり、同図（Ａ）は低い階調（例えば、黒）で発光させる時の駆動波形図、及び図（Ｂ）は高い階調（例えば、白）で発光させる時の駆動波形図である。この図を参照しつつ、表示素子（例えば、１３−２２）を発光させる時の動作を説明する。
【００１１】
制御信号Ｒ１により走査スイッチ３１−１を接地電位VSSH側に接続して陰極線１２−１を走査している状態から、陰極線１２−２の走査へ移行する場合、先ず、制御信号Ｒ２により走査スイッチ３１−２を接地電位VSSH側に接続すると共に、制御信号Ｐ２によりプリチャージスイッチ２３−２をオン状態にする。すると、電源電位VDDH→プリチャージスイッチ２３−２→陽極線１１−２→表示素子１３−２２→陰極線１２−２→走査スイッチ３１−２→接地電位VSSH、という経路で電源電流が流れて表示素子１３−２２がプリチャージされる。
【００１２】
次に、制御信号Ｐ２によりプリチャージスイッチ２３−２をオフ状態にし、制御信号Ｃ２により定電流回路２１−２をオン状態にする。制御信号Ｃ２は、表示データＤＡに対応したパルス幅を有し、図６（Ａ）のように低い階調（例えば、黒）の場合は、そのパルス幅が０であるから、定電流回路２１−２が実質的にはオン状態にならずにオフ状態となる。これにより、表示素子１３−２２は接地電位VSSHにて駆動が開始されることになる。つまり、表示素子１３−２２にプリチャージされた電荷が、走査スイッチ３１−２を介して接地電位VSSH側に放電され、消光状態になって黒色表示される。
【００１３】
これに対し、図６（Ｂ）のように高い階調（例えば、白）の場合は、制御信号Ｃ２のパルス幅が大きいので、定電流回路２１−２がそのパルス幅時間だけ電源電位VDDHにて定電流を出力し、これが出力ドライバ２３−１により駆動されて表示素子１３−２２に供給される。これにより、表示素子１３−２２が発光し、白色表示される。パルス幅時間が終了すると、定電流回路２１−２がオフ状態になり、表示素子１３−２２に蓄積された電荷が走査スイッチ３１−２を介して接地電位VSSH側に放電され、消光して黒色表示される。
【発明の開示】
【発明が解決しようとする課題】
【００１４】
しかしながら、従来の表示装置では、表示の立ち上がりを早くするために、表示素子１３−１１〜１３−ＭＮをプリチャージし、その後、定電流回路２１−１〜２１−Ｎ及び出力ドライバ２２−１〜２２−Ｎにより駆動しているので、表示の階調によらず各表示素子１３−１１〜１３−ＭＮの容量に電荷がプリチャージされ、低い階調のデータを表示する際にプリチャージされた分の電荷が抜けきれず、低い階調が綺麗にでないという課題があった。
【００１５】
即ち、図６において、先ず、プリチャージスイッチ２３−２がオンして電源電位VDDHにて表示素子１３−２２をプリチャージする。プリチャージスイッチ２３−２がオフしても表示素子１３−２２に電荷が保持されており、定電流回路２１−２及び出力ドライバ２２−２からなる駆動回路がオンしている間、表示素子１３−２２に電源電位VDDHが印加される形となる。ここで、図６（Ｂ）のように、階調が高い場合は、しばらく電源電位VDDHで駆動した後に接地電位VSSHに落とすが、図６（Ａ）のように、階調０の場合は、直ぐに接地電位VSSHに落とす必要がある。ところが、階調０の場合であっても、表示素子１３−２２が電源電位VDDHでプリチャージされているために、接地電位VSSHまでディスチャージ（放電）を行う時間が必要となり、この間、表示素子１３−２２に電圧が印加され薄く発光してしまい、階調０を綺麗に表示することができなかった。
又、余分なプリチャージによる消費電流の無駄等といった課題もあった。
【課題を解決するための手段】
【００１６】
本発明は、表示データに基づき、容量成分を有する複数の表示素子中の所定の表示素子に対してプリチャージを行った後に、その所定の表示素子に対して駆動電流又は駆動電圧を供給して、前記表示データに対応する輝度で点灯させる表示装置において、前記表示データが特定状態の時には前記所定の表示素子に対する前記プリチャージを停止させるプルチャージ停止手段を設けている。
【００１７】
本発明の他の表示装置では、第１の電極及び第２の電極間に容量成分を有する複数の表示素子と、表示データに対応した第１のパルス幅の駆動電流又は駆動電圧を前記各表示素子の第１の電極にそれぞれ供給して前記各表示素子を点灯駆動する出力ドライバと、前記表示データに対応して走査され、前記出力ドライバにより点灯駆動される前記表示素子の第２の電極を固定電位ノードに接続する複数の走査スイッチと、前記出力ドライバにより前記表示素子を点灯駆動する前に、予め前記表示素子の第１の電極を介して前記表示素子の容量成分をプリチャージするプリチャージドライバと、前記表示データが特定状態か否かを判定して、特定状態の時には前記プリチャージドライバに対して前記プリチャージを停止させるプリチャージ停止手段とを備えている。
【００１８】
本発明の更に他の表示装置では、第１の電極及び第２の電極間に容量成分を有する複数の表示素子と、表示データに対応した第１のパルス幅の駆動電流又は駆動電圧を前記各表示素子の第１の電極にそれぞれ供給して前記各表示素子を点灯駆動する出力ドライバと、前記表示データに対応して走査され、前記出力ドライバにより点灯駆動される前記表示素子の第２の電極を固定電位ノードに接続する複数の走査スイッチと、前記出力ドライバにより前記表示素子を点灯駆動する前に、予め前記表示素子の第１の電極を介して前記表示素子の容量成分をプリチャージするプリチャージドライバと、前記表示データがパーシャル非表示領域又はパーシャル表示領域のいずれの領域に属するデータであるかを判定して、この判定結果が前記パーシャル非表示領域に属するデータの時には、前記プリチャージドライバに対して前記プリチャージを停止させるプリチャージ停止手段とを備えている。
【発明の効果】
【００１９】
請求項１、２、３、６に係る発明によれば、表示データが特定状態か否かを判定するプリチャージ停止手段を設けたので、余分なプリチャージを削除でき、これにより、輝度の小さい表示も明瞭に表示でき、しかも、消費電流を低減できる。
【００２０】
請求項４、５、６に係る発明によれば、表示データがパーシャル非表示領域又はパーシャル表示領域のいずれの領域に属するデータであるかを判定するプリチャージ停止手段を設けたので、パーシャル非表示領域における余分なプリチャージを削除でき、これにより、回路規模を削減できると共に、消費電流を低減できる。
【発明を実施するための最良の形態】
【００２１】
本発明の最良の実施形態の表示装置では、第１の電極及び第２の電極間に容量成分を有する複数の表示素子（例えば、発光素子）と、表示データに対応した第１のパルス幅の駆動電流又は駆動電圧を前記各表示素子の第１の電極にそれぞれ供給して前記各表示素子を点灯駆動する出力ドライバと、前記表示データに対応して走査され、前記出力ドライバにより点灯駆動される前記表示素子の第２の電極を固定電位ノードに接続する複数の走査スイッチと、前記出力ドライバにより前記表示素子を点灯駆動する前に、予め前記表示素子の第１の電極を介して前記表示素子の容量成分をプリチャージするプリチャージドライバと、前記表示データが特定状態か否かを判定して、特定状態の時には前記プリチャージドライバに対して前記プリチャージを停止させるプリチャージ停止手段とを備えている。
【００２２】
前記プリチャージ停止手段は、前記表示データと前記特定状態とを比較判定して一致／不一致の判定結果を出力するコンパレータと、ドライバ制御手段とを有している。前記ドライバ制御手段は、前記判定結果が一致の時には、前記表示素子に対する前記プリチャージドライバの前記プリチャージを停止させて、前記出力ドライバにより前記表示素子を点灯駆動させ、前記判定結果が不一致の時には、前記表示素子に対して前記プリチャージドライバによりプリチャージさせた後に前記出力ドライバにより前記表示素子を点灯駆動させる。
【実施例１】
【００２３】
（実施例１の構成）
図１は、本発明の実施例１を示す表示装置の概略を示す構成図である。
【００２４】
この表示装置は、例えば、従来の図５と同様に、陰極線走査・陽極線ドライブの単純マトリックス駆動方式を用いた有機ＥＬ表示装置であり、表示パネル５０と、陽極線駆動回路６０と、陰極線走査回路７０と、陽極線駆動回路６０及び陰極線走査回路７０を制御する表示制御回路８０とを備えている。
【００２５】
表示パネル５０は、複数の陽極線５１−１〜５１−Ｎ及び複数の陰極線５２−１〜５２−Ｍがマトリックス状に配置され、これらの陽極線５１−１〜５１−Ｎ及び陰極線５２−１〜５２−Ｍの交差箇所において、例えば発光素子の１つである有機ＥＬ素子からなる表示素子５３−１１〜５３−ＭＮの陽極が陽極線５１−１〜５１−Ｎにそれぞれ接続され、その表示素子５３−１１〜５３−ＭＮの陰極が陰極線５２−１〜５２−Ｍにそれぞれ接続されている。
【００２６】
複数の陽極線５１−１〜５１−Ｎには、これらを駆動するための陽極線駆動回路６０が接続されている。陽極線駆動回路６０は、電源電位VDDHノードと各陽極線５１−１〜５１−Ｎとの間に直列接続された各定電流回路６１−１〜６１−Ｎ及び各出力ドライバ６２−１〜６２−Ｎからなる複数の直列回路と、この各直列回路にそれぞれ並列接続された複数のプリチャージドライバ用のプリチャージスイッチ６３−１〜６３−Ｎとを有している。各定電流回路６１−１〜６１−Ｎは、所定のパルス幅の各駆動用制御信号Ｃ１〜ＣＮによりオン／オフ動作してオン状態の時に定電流を出力する回路であり、トランジスタ等で構成されている。各出力ドライバ６２−１〜６２−Ｎは、各定電流回路６１−１〜６１−Ｎの出力電流を駆動して各陽極線５１−１〜５１−Ｎに供給する回路であり、トランジスタ等で構成されている。各プリチャージスイッチ６３−１〜６３−Ｎは、所定のパルス幅の各プリチャージ用制御信号Ｐ１〜ＰＮによりオン／オフ動作して、オン状態の時に電源電位VDDHにより各表示素子５３−１１〜５３−ＭＮをプリチャージするスイッチであり、スイッチングトランジスタ等で構成されている。
【００２７】
複数の陰極線５２−１〜５２−Ｍには、これらを順に走査するための陰極線走査回路７０が接続されている。陰極線走査回路７０は、各陰極線５２−１〜５２−Ｍにそれぞれ接続された複数の走査スイッチ７１−１〜７１−Ｍを有している。各走査スイッチ７１−１〜７１−Ｍは、所定のパルス幅の各走査用制御信号Ｒ１〜ＲＭにより順に切り替えられるスイッチであってスイッチングトランジスタ等で構成され、表示素子５３−１１〜５３−ＭＮを発光させる時には陰極線５２−１〜５２−Ｍを接地電位VSSHノードに接続し、表示素子５３−１１〜５３−ＭＮを消光する時には陰極線５２−１〜５２−Ｍを電源電位VDDHノードに接続する。
【００２８】
表示制御回路８０は、陽極線駆動回路６０及び陰極線走査回路７０を制御するための制御信号Ｃ１〜ＣＮ，Ｐ１〜ＰＮ，Ｒ１〜ＲＭを出力する回路であり、コンパレータ８１、Ｎビットの表示データ用シフトレジスタ８２、Ｎビットのプリチャージ用シフトレジスタ８３、Ｎビットの表示データラッチ回路８４、Ｎビットのプリチャージラッチ回路８５、及びドライバ制御部８６を有している。
【００２９】
コンパレータ８１は、表示の階調（輝度）を決めるシリアルな表示データＤＡを入力し、この表示データＤＡと特定状態（例えば、階調０を表す論理“０”）とを比較判定して一致／不一致のシリアルな判定結果（例えば、判定結果が一致の時にはフラグ“１”、不一致の時にはフラグ“０”）を出力するものであり、この出力側にプリチャージ用シフトレジスタ８３が接続されている。表示データ用シフトレジスタ８２は、シリアルな表示データＤＡをクロック信号ＣＬＫにより順に取り込み、これをパラレルなＮビットの表示データに変換して出力する回路であり、この出力側に表示データラッチ回路８４が接続されている。プリチャージ用シフトレジスタ８３は、コンパレータ８１から出力されたフラグ“１”をクロック信号ＣＬＫにより取り込み、これを順にシフトしてパラレルな判定結果を出力するものであり、この出力側にプリチャージラッチ回路８５が接続されている。
【００３０】
表示データラッチ回路８４は、表示データ用シフトレジスタ８２から出力されたパラレルなＮビットの表示データを保持する回路であり、この出力側にドライバ制御部８６が接続されている。プリチャージラッチ回路８５は、プリチャージ用レジスタ８３から出力されたパラレルなＮビットの判定結果を保持する回路であり、この出力側にドライバ制御部８６が接続されている。ドライバ制御部８６は、表示データラッチ回路８４から出力されたパラレルなＮビットの表示データと、プリチャージラッチ回路８５から出力されたパラレルなＮビットの判定結果とに基づき、ＰＷＭ処理等を行い、所定のパルス幅の走査用制御信号Ｒ１〜ＲＮと、表示データＤＡの階調に対応したパルス幅の駆動用制御信号Ｃ１〜ＣＮと、フラグ“１”に対応する箇所を無効（例えば、“０”）にしたプリチャージ用制御信号Ｐ１〜ＰＮとを所定のタイミングで出力して、走査スイッチ７１−１〜７１−Ｎ、定電流回路６１−１〜６１−Ｎ、及びプリチャージスイッチ６３−１〜６３−Ｎに与える回路である。
【００３１】
プリチャージ用シフトレジスタ８３、プリチャージラッチ回路８５、及びドライバ制御部８６の一部により、ドライバ制御手段が構成され、更に、このドライバ制御手段とコンパレータ８１とにより、プリチャージ停止手段が構成されている。
【００３２】
（実施例１の動作）
図２は、図１の動作を示すタイミングチャートである。
【００３３】
先ず、シリアルな表示用データＤＡ（例えば、０１，００，７０，０９，１０，０５，・・・）が表示用シフトレジスタ８２に入力され、クロック信号ＣＬＫによりシフトされていく。同時に、コンパレータ８１にて表示データＤＡを比較判定し、“０”だった場合のみプリチャージ用シフトレジスタ８３にフラグ“１”を出力する。これにより、表示データＤＡの“０”とフラグ“１”がペアとなる。
【００３４】
表示データＤＡが全てシフトされた時点で、シフトレジスタ８２から出力されたパラレルなＮビットの表示データが全て表示データラッチ回路８４に保持されると共に、プリチャージ用レジスタ８３から出力されたフラグ“１”を含むパラレルなＮビットの判定結果が全てプリチャージラッチ回路８５に保持される。ドライバ制御部８６は、プリチャージを行うタイミングにてプリチャージラッチ回路８４の値を判断し、“１”が立っている出力のプリチャージスイッチ（例えば、６３−２，６３−３，６３−４，・・・）を動作させず、“０”が立っている出力のプリチャージスイッチ（例えば、６３−１，６３−５，・・・）のみ動作させるためのプリチャージ用制御信号Ｐ１〜ＰＮを出力すると共に、走査用制御信号（例えば、Ｒ１）を出力する。これにより、走査スイッチ（例えば、７１−１）が接地電位VSSH側に切り替えられると共に、“０”が立っている出力のプリチャージスイッチ６３−１，６３−５，・・・のみがオン状態になり、これらのプリチャージスイッチ６３−１，６３−５，・・・を介して電源電位VDDHにより表示素子５３−１１，５３−１５，・・・がプリチャージされる。
【００３５】
次に、表示を行うタイミングにてドライバ制御部８６から駆動用制御信号Ｃ１〜ＣＮが出力され、表示データＤＡに従い定電流回路６１−１〜６１−Ｎが動作する。すると、定電流回路６１−１〜６１−Ｎから定電流が出力され、これが出力ドライバ６２−１〜６２−Ｎで駆動されて表示素子５３−１１，・・・に供給され、表示データＤＡに対応した階調で発光する。
【００３６】
同様に、ドライバ制御部８６から、次のプリチャージを行うタイミングにてプリチャージ用制御信号Ｐ１〜ＰＮが出力されると共に、走査用制御信号（例えば、Ｒ２）が出力され、“０”が立っている箇所の表示素子（例えば、５３−２２，５３−２４，・・・）がプリチャージされた後、表示を行うタイミングにてドライバ制御部８６から駆動用制御信号Ｃ１〜ＣＮが出力され、定電流回路６１−１〜６１−Ｎ及び出力ドライバ６２−１〜６２−Ｎにより、表示データＤＡに対応した階調で表示素子５３−２１〜５３−２Ｎが発光する。
【００３７】
（実施例１の効果）
本実施例１によれば、コンパレータ８１によって表示データＤＡを判断し、ドライバ制御部８６にて不要なプリチャージを行わないようにすることにより、階調０を確実に出力できる。更に、余分なプリチャージを削除することにより、消費電流を低減できる。
【実施例２】
【００３８】
（実施例２の構成）
図３は、本発明の実施例２を示す表示装置における表示制御回路の概略を示す構成図であり、実施例１を示す図１中の要素と共通の要素には共通の符号が付されている。更に、図４は、図１中の表示パネル５０の模式図である。
【００３９】
図３の表示制御回路８０Ａは、図１の表示制御回路８０に代えて図１の表示装置に設けられる回路である。この表示制御回路８０Ａでは、図１のコンパレータ８１及びプリチャージ用シフトレジスタ８３に代えて、表示状態判定手段（例えば、表示状態判定部）８７が設けられると共に、図１のドライバ制御部８６に代えて、これと異なる構成のドライバ制御部８６Ａが設けられている点が、図１の表示制御回路８０と異なる。
【００４０】
図４に示すように、表示パネル５０の表示モードによっては、パネルの一部のパーシャル表示領域５０ａのみ表示を行い、これ以外のパーシャル非表示領域５０ｂについては表示を行わない、というパーシャル表示を行う場合がある。この際、表示対象となる陽極線（５１−１〜５１−Ｎ中のいずれか）がパーシャル非表示領域５０ｂに位置し、１ライン全て黒表示である場合がある。
【００４１】
表示状態判定部８７では、パーシャル表示を行う際に、このパーシャル表示情報に関する図示しないレジスタの設定値又は制御信号により、現在の表示対象となっている陽極線（５１−１〜５１−Ｎ中のいずれか）の１ライン全てがパーシャル非表示領域５０ｂに位置しているか否かをコンパレータ等で比較判定し、この判定結果が「非表示領域に位置している」ときには、強制的にプリチャージを無効にするためのプリチャージ無効信号をドライバ制御部８６Ａに与えるものである。ドライバ制御部８６Ａは、表示データラッチ回路８４から出力されたパラレルなＮビットの表示データと、表示状態判定部８７から出力されたプリチャージ無効信号とに基づき、ＰＷＭ処理等を行い、所定のパルス幅の走査用制御信号Ｒ１〜ＲＮと、表示データＤＡの階調に対応したパルス幅の駆動用制御信号Ｃ１〜ＣＮと、パーシャル非表示領域５０ｂに位置する箇所を無効（例えば、“０”）にしたプリチャージ用制御信号Ｐ１〜ＰＮとを所定のタイミングで出力して、走査スイッチ７１−１〜７１−Ｎ、定電流回路６１−１〜６１−Ｎ、及びプリチャージスイッチ６３−１〜６３−Ｎに与える回路である。
【００４２】
この表示状態判定部８７、及びドライバ制御部８６Ａ内のドライバ制御手段により、プリチャージ停止手段が構成されている。
【００４３】
（実施例２の動作）
パーシャル表示モードの場合は、このパーシャル表示情報が表示状態判定部８７に予め設定されているか、あるいは制御信号の形で表示状態判定部８７に与えられる。
【００４４】
シリアルな表示用データＤＡが表示用シフトレジスタ８２に入力され、クロック信号ＣＬＫによりシフトされていく。表示データＤＡが全てシフトされた時点で、シフトレジスタ８２から出力されたパラレルなＮビットの表示データが全て表示データラッチ回路８４に保持される。ドライバ制御部８６Ａは、プリチャージを行うタイミングにて、表示状態判定部８７から与えられるプリチャージ無効信号の内容を判定し、パーシャル非表示領域５０ｂに位置するプリチャージスイッチ（６３−１〜６３−Ｎ中のいずれか）を動作させず、パーシャル表示領域５０ａに位置するプリチャージスイッチ（６３−１〜６３−Ｎ中のいずれか）のみ動作させるためのプリチャージ用制御信号Ｐ１〜ＰＮを出力すると共に、走査用制御信号（例えば、Ｒ１）を出力する。これにより、走査スイッチ（例えば、７１−１）が接地電位VSSH側に切り替えられると共に、パーシャル表示領域５０ａに位置するプリチャージスイッチ（６３−１〜６３−Ｎ中のいずれか）のみがオン状態になり、これらのプリチャージスイッチ（６３−１〜６３−Ｎ中のいずれか）を介して電源電位VDDHにより表示素子５３−１１，５３−１５，・・・がプリチャージされる。
【００４５】
次に、表示を行うタイミングにてドライバ制御部８６Ａから駆動用制御信号Ｃ１〜ＣＮが出力され、表示データＤＡに従い定電流回路６１−１〜６１−Ｎが動作する。すると、定電流回路６１−１〜６１−Ｎから定電流が出力され、これが出力ドライバ６２−１〜６２−Ｎで駆動されて表示素子５３−１１，・・・に供給され、表示データＤＡに対応した階調でパーシャル表示領域５０ａが発光する。
【００４６】
（実施例２の効果）
本実施例２によれば、パーシャル表示モードの場合、表示対象となる陽極線（５１−１〜５１−Ｎ中のいずれか）がパーシャル非表示領域５０ｂに位置し、１ライン全て黒表示となることがあるので、これを表示状態判定部８７にて判定し、強制的にプリチャージを無効にするので、余分なプリチャージを削除することにより、消費電流を低減できる。更に、図１のシフトレジスタ８３やプリチャージラッチ回路８５を削除することにより、回路規模を削減できる。
【実施例３】
【００４７】
本発明は、上記実施例１、２に限定されず、種々の変形が可能である。この変形例である実施例３としては、例えば、次の（１）〜（６）のようなものがある。
【００４８】
（１）  実施例１では、コンパレータ８１により階調０を判定したが、出力ドライバ２２−１〜２２−Ｎの駆動能力が高い場合や、階調１や２等の低い階調が表示できない場合、コンパレータ８１により階調２以下を比較判定することにより、プリチャージを行わない階調の幅を広げることできる。
【００４９】
（２）  図３の表示状態判定部８７を、図１のドライバ制御部８６に接続し、このドライバ制御部８６により、表示状態判定部８７の出力も処理できる構成に変更すれば、実施例１及び２の作用効果を奏することができる。
【００５０】
（３）  実施例１、２では、定電流回路６１−１〜６１−Ｎを用いた定電流駆動の陽極線駆動回路６０について説明したが、本発明は、定電圧回路を用いた定電圧駆動の陽極線駆動回路にも適用できる。
【００５１】
（４）  図１において、各陽極線５１−１〜５１−Ｎと接地電位VSSHノードとの間に、表示制御回路で制御されるリセットスイッチをそれぞれ接続し、ある陰極線（例えば、５２−１）から次の陰極線（例えば、５２−２）へ走査が移行する前に、その全リセットスイッチによって全陽極線５１−１〜５１−Ｎを接地電位VSSHにリセットする構成にすれば、発光の立ち下がりが早くなって走査速度をより高速化できる。
【００５２】
（５）  実施例１、２では、プリチャージ方式に関して説明したが、ある陰極線（例えば、５２−１）から次の陰極線（例えば、５２−２）へ走査が移行する前に、全陰極線５２−１〜５２−Ｎをオールリセットする構成の陰極リセット法を用いた場合でも、リセット後の全陰極線５２−１〜５２−Ｎを“Ｈ”に切り替える際に発生するオーバシュートによる電流の消費を抑えることができる。
【００５３】
（６）  実施例１、２では、陰極線走査・陽極線ドライブ方式について説明したが、陽極線走査・陰極線ドライブ方式についても、本発明を適用できる。又、表示素子５３−１１〜５３−ＭＮとして、有機ＥＬ素子を用いたが、容量成分を有する他の発光素子等の種々の表示素子に本発明を適用できる。
【図面の簡単な説明】
【００５４】
【図１】本発明の実施例１を示す表示装置の概略を示す構成図である。
【図２】図１の動作を示すタイミングチャートである。
【図３】本発明の実施例２の表示装置における表示制御回路の概略を示す構成図である。
【図４】図１中の表示パネル５０の模式図である。
【図５】従来の有機ＥＬ表示装置の概略を示す構成図である。
【図６】表示素子に対する駆動波形図である。
【符号の説明】
【００５５】
５０      表示パネル
５１−１〜５１−Ｎ      陽極線
５２−１〜５２−Ｎ      陰極線
５３−１１〜５３−ＭＮ      表示素子
６０      陽極線駆動回路
６１−１〜６１−Ｎ      定電圧回路
６２−１〜６２−Ｎ      出力ドライバ
６３−１〜６３−Ｎ      プリチャージスイッチ
７０      陰極線走査回路
７１−１〜７１−Ｎ      走査スイッチ
８０，８０Ａ      表示制御部
８１      コンパレータ
８２，８３      シフトレジスタ
８４      表示データラッチ回路
８５      プリチャージラッチ回路
８６，８６Ａ      ドライバ制御部
８７      表示状態判定部
【図１】
2007025122.tif 000003
【図２】
2007025122.tif 000004
【図３】
2007025122.tif 000005
【図４】
2007025122.tif 000006
【図５】
2007025122.tif 000007
【図６】
2007025122.tif 000008